(57)【特許請求の範囲】
【請求項１】
ロールペーパーを回動自在に保持するホルダー本体に対して、後部を支軸として開閉自在でロールペーパーを覆う押え板を備えるロールペーパーホルダーであって、該押え板の前端は、両側部の幅方向中央側の内側に向けて傾斜する傾斜部又はアール形状部と、該両側部を接続する中央部の直線部とからなることを特徴とするロールペーパーホルダー。
【請求項２】
該押え板の前端部の裏面には、ロールペーパーと接する切断刃突起を幅方向に所定のピッチで多数形成したことを特徴とする請求項１記載のロールペーパーホルダー。
【請求項３】
該切断刃突起は、断面が略逆三角形状であることを特徴とする請求項２に記載のロールペーパーホルダー。
【発明の詳細な説明】
【技術分野】
【０００１】
本発明は、トイレットペーパーのようなロールペーパーを回動自在に支持するロールペーパーの切断が容易なロールペーパーホルダーに関するものである。
【背景技術】
【０００２】
トイレットペーパーのようなロールペーパーを回動自在に支持するロールペーパーホルダーは、ロールペーパーを切断するための押え板が、ロールペーパーを覆うように、ホルダー本体部に回動自在に設置されている。
【０００３】
ロールペーパーを切断するための押え板としては、薄肉の金属板や硬質プラスチックの前端に連続三角形状又は連続波形形状の刃先を付設したものが知られている。
【０００４】
また、特開２００５−２７９０４８号公報には、ロールペーパーを切断可能なカット部とロールペーパーを保持するホルダー本体に対して回転自在に支持する支持部とを有する紙切板を具備し、前記紙切板のカット部がロールペーパーに接して、ロールペーパーを切断するロールペーパーホルダーにおいて、前記カット部が前記紙切板より若干幅の狭い帯状の刃先とこの刃先の両側に柱状突起とから構成される共に、前記柱状突起にはロールペーパーの繰り出し方向に沿った稜線を有する角部がロールペーパー側に向けて設けられているロールペーパーホルダーが開示されている。
【特許文献１】特開２００５−２７９０４８号公報（請求項１、図１）
【発明の開示】
【発明が解決しようとする課題】
【０００５】
しかしながら、薄肉の金属板や硬質プラスチックの前端に連続三角形状又は連続波形形状の刃先を付設したものは、誤って手指が刃先に触れた場合、手先を怪我するという問題がある。また、見栄えも悪い。また、特開２００５−２７９０４８号公報のロールペーパーホルダーは、押え板の前端に２つの異なる切断刃を備えるため、製造コストを上昇させるという問題がある。また、尖った前端を有する突起が押え板の前端に設置されているため、使用者の目に留まり、見栄えが悪いという問題がある。
【０００６】
従って、本発明の目的は、製造が容易で、見栄えがよくロールペーパーの切断が容易なロールペーパーホルダーを提供することにある。
【課題を解決するための手段】
【０００７】
すなわち、本発明は、上記従来の課題を解決したものであって、ロールペーパーを回動自在に保持するホルダー本体に対して、後部を支軸として開閉自在でロールペーパーを覆う押え板を備えるロールペーパーホルダーであって、該押え板の前端は、両側部の幅方向中央側の内側に向けて傾斜する傾斜部又はアール形状部と、該両側部を接続する中央部の直線部とからなることを特徴とするロールペーパーホルダーを提供するものである。
【０００８】
また、本発明は、該押え板の前端は、両側部の傾斜部又はアール形状部と、該両側部を接続する中央部の直線部とからなることを特徴とする前記ロールペーパーホルダーを提供するものである。
【０００９】
また、本発明は、該押え板の前端部の裏面には、ロールペーパーと接する切断刃突起を幅方向に所定のピッチで多数形成したことを特徴とする前記ロールペーパーホルダーを提供するものである。
【００１０】
また、本発明は、該切断刃突起は、断面が略逆三角形状であることを特徴とする前記ロールペーパーホルダーを提供するものである。
【発明の効果】
【００１１】
本発明は、押え板の前端の両側に、幅方向中央側の内側に向けて傾斜する傾斜部又は内側に凹状のアール部を設けたため、ロールペーパーの切断が容易となった。また、ロールペーパーホルダーの作製の際、切断刃の別途の部材を使用することがないため、製造工程を簡略化できる。また、押え板の裏面に切断刃を付設しても外からは見えないため、見栄えもよい。
【発明を実施するための最良の形態】
【００１２】
次に、本発明の実施の形態におけるロールペーパーホルダーを図１〜図７を参照して説明する。図１は本例のロールペーパーホルダーの分解斜視図、図２は本例のロールペーパーホルダーの斜視図、図３は本例のロールペーパーホルダーの使用状態図、図４は図３の丸印Ｂ内の拡大図、図５は図３の丸印Ｂ内で、ロールペーパーと押え板の前端との接触ラインＤとロールペーパーの軸芯Ｃ-Ｃを結んだ延長線上から見た拡大図、図６は本例のロールペーパーホルダーの使用方法を説明する図、図７はロールペーパーが切断される状態を説明する簡略図である。
【００１３】
ロールペーパーホルダー１０は、ホルダー本体２と押え板１とからなる。ホルダー本体２は、壁材に固定される板状部材の基部２１と、基部２１の両端から前方へ延出する両腕部２３からなる略コ字形状であって、両腕部２３の前端の内側に回動自在に設置される爪部２２で、ロールペーパーＡを回動自在に保持している。両腕部２３の後端の上部内側には、押え板１を回動自在に支持する軸孔２３１が付設されている。ホルダー本体２は、係る形態に限定されず、種々の公知のものを使用することができる。
【００１４】
押え板１は、押え板１の後端から外側へ突出する軸部１１を両腕部２３の軸孔２３１に回動自在（開閉自在）に嵌合されたものであって、ロールペーパーＡを覆うと共に、前端の裏面がロールペーパーＡに当接又は近接するものである。また、押え板１の前端は、両側部の傾斜部１２１と、両側部１２１を接続する中央部の直線部１２２とからなる。両側部の傾斜部１２１は、幅方向中央側の内側に向けて傾斜するものである。押え板１の前端の両側部に傾斜部１２１を設けたことにより、ロールペーパーＡの切断がスムーズに行われる。
【００１５】
押え板１は金属製であっても樹脂製であってもよい。また、押え板１の厚さも特に制限されない。また、押え板１の前端裏面とロールペーパー面とは、ロールペーパーＡが新品の段階から最後の使用となるまでの間、常時隙間無く接していることが好ましいが、これに限定されず、少々の隙間が存在していてもよい。押え板１の前端裏面とロールペーパー面との間に少々の隙間が存在していても、ロールペーパーＡの切断がスムーズに行われる。
【００１６】
押え板１の前端の両側部の傾斜部１２１は、図５に示すように、ロールペーパーの周面と押え板１の前端との接触ラインＤとロールペーパーの軸芯Ｃ-Ｃを結んだ延長線上から見て、幅方向中央側の内側に向けて傾斜するものであればよい。また、当該傾斜部１２１に、ロールペーパーＡの端部３１が位置するものである。従って、押え板１の前端の両側部の最側端は、ロールペーパーＡの端部３１が位置しないのであれば、このような傾斜部でなくともよい。この傾斜部１２１の幅方向の長さｌは、ひとつの傾斜部１２１で少なくとも２０ｍｍあればよい。傾斜部１２１の幅方向の長さが短すぎると、市販の種々の幅寸法が異なるロールペーパーに対応できない。また、傾斜部１２１の幅方向の長さの上限値は特に制限されないが、長すぎると直線部分がなくなり、途中で屈曲のための角が生じ、見栄えが悪くなる。
【００１７】
押え板１の前端の傾斜部１２１の傾斜角（図５中のα）は、３〜６０度、特に５〜５０度の間で適宜決定すればよい。傾斜角が小さ過ぎても、大き過ぎても、ロールペーパーの円滑な切断がし難くなる。
【００１８】
次に、本例のロールペーパーホルダー１０の使用方法の一例について説明する。ロールペーパーホルダー１０に新品のロールペーパーＡを組み込む。この際、ロールペーパーＡの幅方向における端部３１は、傾斜部１２１に位置している（図５参照）。ロールペーパーＡの使用者は、ロールペーパーＡの前端を図３の矢印Ｘ方向に引出し、その後ロールペーパーＡを切断するため、その前端を図６の矢印Ｙ方向に引上げることになる。ロールペーパーＡの引き上げにより、ロールペーパーＡの切断開始点１２５におけるロールペーパーの端部３１１と傾斜部１２１は概ね９０度の角度βとなる。この角度βは、従来のロールペーパーＡの押え板１００の前端２００が直線状の場合に形成される角度γ（図１０参照）に比べると大である。本発明においては、ロールペーパーＡの切断開始点１２５におけるロールペーパーの端部３１１と傾斜部１２１のなす角度βが９０度に近いため、図６及び図７の矢印Ｚ方向の作用力が、傾斜部の傾斜ラインｄに沿って最も効果的に作用する。このため、切れ味（噛み込み）よく切断が開始する。
【００１９】
一旦、ロールペーパーの切断が生じると、その後の切断は円滑にいくため、傾斜部１２１から直線部１２２に至っても切断は円滑に進行する。
【００２０】
次に、本発明の他の実施の形態におけるロールペーパーホルダーを図８を参照して説明する。図８は他の形態例における押え板の裏面の拡大斜視図である。図８において、図１〜図７と同一構成要素には同一符号を付して、その説明を省略し、異なる点について主に説明する。すなわち、図８の押え板において、図１の押え板と異なる点は、押え板１の前端部１２の裏面に、ロールペーパーＡと接する切断刃突起１４を幅方向に所定のピッチで多数形成した点にある。切断刃突起１４は断面が略逆三角形状であり、裏面視が逆三角形状である。また、切断刃突起１４の前端は押え板１の前端と同一面となっており、押え板１の前端から前方へ突出するものではない。このような切断刃突起１４を有する押え板１であれば、更にロールペーパーＡの切断が円滑に進む。また、切断刃突起１４は使用者からは見え難く、見栄えの良さを妨げることはない。なお、符号１６は不図示のゴム材などの緩衝材が設置される凹溝である。緩衝材はロールペーパーが外されたとき、金属製の押え板１と爪２２が直接当たることによる異音の発生を防止するものである。
【００２１】
本例のロールペーパーホルダー１０において、押え板の前端の両側部にある傾斜部１２１に代えて、図９に示すような幅方向中央側の内側に凹状のアール形状部１２１ａとしてもよい。図９は図５と同様に、ロールペーパーと押え板の前端との接触ラインＤとロールペーパーの軸芯Ｃ-Ｃを結んだ延長線上から見た拡大図である。このアール形状部１２１ａを有するロールペーパーホルダーであっても、傾斜部１２１を有するロールペーパーホルダー１０と同様の効果を奏する。アール形状部１２１ａにおいて、図９に示すように、押え板１ａの前端とロールペーパーＡの接触点１２１ｂにおけるアール形状部１２１ａの接線の傾きαは、図５におけるαと同様である。従って、アール形状部１２１ａにおけるアールは直線状に近い形状であることが好ましい。アール形状部１２１ａにおけるアールの曲率が小さ過ぎる（直線状ではなく円弧状に近くなる）と、直線状部１２２との接続点近傍の傾きが小さくなり、幅方向の寸法が大のロールペーパーから幅方向の寸法が小のロールペーパーに変更された場合、本発明の効果が得られ難くなる。
【００２２】
本例のロールペーパーホルダーにおいて、切断刃突起１４は上記形態に限定されず、ロールペーパーが巻かれる方向に稜線が延びる逆三角形断面の柱状物であってもよい。
【産業上の利用可能性】
【００２３】
本発明のロールペーパーホルダーは、トイレットペーパーのようなロールペーパーを回動自在に支持するロールペーパーホルダーとして使用すれば、特段の切断刃を設置しなくとも、押え板の先端形状のみでロールペーパーを円滑に切断できるため、高級感を保持しつつ円滑な切断機能を付与できる。このため、一戸建て、マンション、ホテル等の宿泊施設などのトイレ用に好適である。また、別途の切断刃を製造しなくともよいため、製造コストが低減でき、消費者に安価に提供できる。
【図面の簡単な説明】
【００２４】
【図１】本例のロールペーパーホルダーの分解斜視図である。
【図２】本例のロールペーパーホルダーの斜視図である。
【図３】本例のロールペーパーホルダーの使用状態図である。
【図４】図３の丸印Ｂ内の拡大図である。
【図５】図３の丸印Ｂ内で、ロールペーパーと押え板の前端との接触ラインとロールペーパーの軸芯Ｃ-Ｃを結んだ延長線上から見た拡大図である。
【図６】本例のロールペーパーホルダーの使用方法を説明する図である。
【図７】ロールペーパーが切断される状態を説明する簡略図である。
【図８】他の形態例における押え板の裏面の拡大斜視図である。
【図９】ロールペーパーと押え板の前端との接触ラインとロールペーパーの軸芯Ｃ-Ｃを結んだ延長線上から見た拡大図である。
【図１０】従来のロールペーパーホルダーの使用状態における正面図である。
【符号の説明】
【００２５】
１、１００      押え板
２      ホルダー本体
１０    ロールペーパーホルダー
２１    基部
２２    爪部
２３    両腕部
３１    ロールペーパーの端部
１２１      傾斜部
１２２      直線部
Ａ      ロールペーパー
【図１】
0005349832.tif 000002
【図２】
0005349832.tif 000003
【図３】
0005349832.tif 000004
【図４】
0005349832.tif 000005
【図５】
0005349832.tif 000006
【図６】
0005349832.tif 000007
【図７】
0005349832.tif 000008
【図８】
0005349832.tif 000009
【図９】
0005349832.tif 000010
【図１０】
0005349832.tif 000011